(57)【要約】【課題】本発明はガスを燃料とするバーナを加熱源とする調理器の使用状態によって燃焼を制御して安全性を確保する調理器に関するもので、調理器の傍に使用者がいなくても安全に使用でき、調理にも支障をきたさない使い勝手の良好な調理器を提供することを課題とする。【解決手段】こんろ、グリル１６に温度検知センサーを設けた調理器１に人体検知センサー２５を設け、各センサー情報で燃焼状態を制御し、人体検知の情報で制御したときに報知音或いは表示のどちらか又は両方をもって報知したたことにより、被加熱物の状態、或いは、調理器１の傍に使用者が存在する等の使用状態が調理器で判定できるので、使い勝手の良好な安全性の高い調理器が得られる。【選択図】図１
2006057857.tif 000002
【特許請求の範囲】
【請求項１】
被加熱物の加熱状態を検知するこんろ温度センサーを設けたこんろ燃焼部と、グリル庫内の加熱状態を検知するグリル温度センサーを設けたグリル燃焼部と、前記こんろ燃焼部及びグリル燃焼部への燃料の供給を制御する複数個の燃料制御部と、使用条件を入力する入力部と、調理器近傍の人の存在を検知する人体検知部と、前記こんろ温度センサー及びグリル温度センサーの温度情報と前記入力部及び人体検知部の情報で前記燃料制御部を制御する制御部を有したガス調理器であって、前記人体検知部は、電気的信号発信部である人体検知センサーからの信号を受信する電気的信号受信部を有し該電気的信号受信部の信号で人の存在有無を判断するとともに、前記人体検知部及び人体検知センサーを共にガス調理器内に配設するか、または、前記人体検知部をガス調理器内に設け前記人体検知センサーをガス調理器とは分離独立して配設する構成としたガス調理器。
【請求項２】
被加熱物の加熱状態を検知するこんろ温度センサーを設けたこんろ燃焼部と、グリル庫内の加熱状態を検知するグリル温度センサーを設けたグリル燃焼部と、前記こんろ燃焼部及びグリル燃焼部への燃料の供給を制御する複数個の燃料制御部と、使用条件を入力する入力部と、調理器近傍の人の存在を検知する人体検知部と、前記こんろ温度センサー及びグリル温度センサーの温度情報と前記入力部及び人体検知部の情報で前記燃料制御部を制御する制御部を有したガス調理器であって、前記人体検知部は、電気的信号発信部である人体検知センサーからの信号を受信する電気的信号受信部を有し該電気的信号受信部の信号で人の存在有無を判断するとともに、前記人体検知部及び人体検知センサーを共にガス調理器内に配設するか、または、前記人体検知部をガス調理器内に設け前記人体検知センサーをガス調理器とは分離独立して配設する構成とし、前記人体検知センサーの人体検知の指向性方向を前記ガス調理器の前面に対して略平行にしたガス調理器。
【発明の詳細な説明】
【技術分野】
【０００１】
本発明は、ガス、石油等を燃料とするバーナを加熱源とする調理器に関し、特に使用状態によって燃焼を制御して安全性を確保する安全装置に関するものである。
【背景技術】
【０００２】
従来、こんろやグリルを備えた調理器は、火力の調整や消火操作は使用者が行うものであり、例えば、こんろ使用中に電話がかかってきたり、来客等で一時的にこんろの傍から離れる時には、安全のために火を消しておくのが普通である。そうすると、こんろから離れている時間が長い場合等は、料理の種類によっては煮込みすぎたり、形くずれしたりして、本来の料理ができず、また、見栄えが悪くなったりしてしまうことがある。
【０００３】
このような状況を避けるため、一時的にこんろの傍から離れる場合に火を消さずにそのままでこんろの傍から離れるこが考えられるが、離れている時間が短時間であれば問題ないが、離れている時間が長くなれば、料理の種類、例えば、料理に油を使用している場合には加熱し過ぎて油発火に至る危険性がある。従って、使用者が長時間こんろの傍から離れるわけにはいかなかった。
【０００４】
このような不便な状態を解消するために、こんろやグリルに温度センサーを設けて被加熱物の温度を検知して、温度によって自動的に消火したり、こんろの使用状態、グリルの使用状態、使用環境の情報、料理者が入力した入力部の情報を基に制御部で判断して、例えば、各部の温度が低いので燃焼を継続しても安全性が確保されている、或いは、傍に使用者がいるので安全状態が確認されて使用されている等の判断により燃焼の継続、停止を行うようにした調理器がある（例えば、特許文献１参照）。
【０００５】
また、動作状態を使用者に報知する手段を備えた調理器がある（例えば、特許文献２参照）。
【特許文献１】特開平２−１７８５２２号公報
【特許文献２】特許第２６６５１１９号公報
【発明の開示】
【発明が解決しようとする課題】
【０００６】
従来の温度センサーを有した調理器でも、火災防止の観点から構成され、反面使用感を損なわないように構成しなければならない相反する要求を満足するために、少量の油加熱時或いは土鍋等熱伝導率の小さい被加熱物使用時には、温度センサーの情報による調理器の作動が油温度上昇に追従できないという課題がある。
【０００７】
このような不便な使用感、不安全性を解消するために、例えば、特許文献２に示されているように、使用者が一定時間傍から離れたら火力を自動的に小さくしたり、消火したりして安全性を確保する調理器が提案されている。この調理器においては、使用者が傍から離れたという情報で火力を制御しているために、数多くの料理の内容に関係なく使用者が傍から一定時間離れる都度作動してしまうために、小さい火力設定での長時間の煮込み料理時には消火してしまう不便さが生じていた。この不便を解消するためにタイマー等との組み合わせで、傍から離れても作動しないようにしていたが、タイマー作動時間中連続して被加熱物が加熱し続けられるために油発火等の危険な状態が存在したり、前述のように、料理物が煮詰まりすぎたり、半煮え状態になったりして所望の目的が達成できないという課題があった。
【０００８】
また、使用者の不在状態で調理器が動作している状態を使用者に知らせ、調理器を不在状態になる前の状態に復帰させて料理のでき、不出来状態が継続している状態を使用者に認識してもらい、不出来具合を防止できない課題があった。
【０００９】
また、加熱時間経過、或いは、調理中に被加熱物の温度にて警報として報知して使用者に知らせる調理器は、特許文献２に記載されているように存在している。この調理器においては、使用者の存在の有無等の情報で調理器が動作していないために、使用時に安全な調理状態を保って高い安全性を確保し、さらに使用者の使い勝手に優れた調理器を提供するまでには至っていなかった。
【００１０】
本発明は、上記従来の課題を解決するもので、被加熱物等の温度情報と火力情報と調理器の使用状態情報及び使用者情報をもって調理器を制御することで、調理器の安全性を確保して使用時に安全な調理状態を保って高い安全性を確保し、さらに使用者の使い勝手に優れた調理器を提供することを目的とする。
【課題を解決するための手段】
【００１１】
本発明は上記目的を達成するために、被加熱物の加熱状態を検知するこんろ温度センサーを設けたこんろ燃焼部と、グリル庫内の加熱状態を検知するグリル温度センサーを設けたグリル燃焼部と、前記こんろ燃焼部及びグリル燃焼部への燃料の供給を制御する複数個の燃料制御部と、使用条件を入力する入力部と、調理器近傍の人の存在を検知する人体検知部と、前記こんろ温度センサー及びグリル温度センサーの温度情報と前記入力部及び人体検知部の情報で前記燃料制御部を制御する制御部を有したガス調理器であって、前記人体検知部は、電気的信号発信部である人体検知センサーからの信号を受信する電気的信号受信部を有し該電気的信号受信部の信号で人の存在有無を判断するとともに、前記人体検知部及び人体検知センサーを共にガス調理器内に配設するか、または、前記人体検知部をガス調理器内に設け前記人体検知センサーをガス調理器とは分離独立して配設する構成としたものであり、また、前記人体検知センサーの人体検知の指向性方向を前記ガス調理器の前面に対して略平行にしたものである。
【００１２】
これによって、こんろ温度センサーで被加熱物の温度が検知できることで、被加熱物内の水分がなくなって調理物が焦げ付き始めている状態、或いは、油温度が高温になって発火する状態等の調理状態が検知可能になる。グリル温度センサーでグリル庫内の温度が調理物に火がついて異常に高温になっている等の調理状態、或いは、グリル庫内の温度が高温になってグリル皿等に掃除されないで溜まっている調理物のカス、調理物から出た油等への引火寸前である等の検知が可能になる。調理器の周囲に料理をする人が存在するか、存在しないかを検知する人体検知センサーを、人体検知の指向性方向をガス調理器の前面に対して略平行にした備えたことにより、人体検知センサーとして赤外線センサーを使用した場合には赤外線がセンサー部から全方位に放射されずに一定角度を持って広角放射されるので、調理器の前面に対して垂直方向に広角放射された場合には、調理器の前面方向に使用者がいなければ人体検知しない。一般に調理器の横近傍に作業動作線が効率的になるように調理台が設置されているために、調理器の前面に対して平行方向に広角放射させるように人体検知センサーを設けることで人体検知センサーの死角範囲が非常に少なくなることによって、使用者が調理器から少し離れても人体検知を継続する。従って、少し離れただけで使用者不在状態になることなく、確実に人体監視することで調理器が停止する等のトラブルがなく、料理物が適切に加熱されるから料理のでき、不出来のトラブルが解消され使い勝手の良い調理器が提供できるのである。また、調理器に対して、調理台がＬ字型に配置されても、調理器の前面に対して略直角方向になるので人体検知センサーが調理器の前面に対して平行方向に広角放射されているために検知範囲内に存在することで同様な効果が得られる。
【００１３】
また、人体検知センサー部を調理器とは分離独立させた構成では、台所事情にあった位置に人体検知センサーを自由に設置できるので、使用者の実情にあった状態での使用者の存在検知ができるのでより確実な使用者不在に対する安全性の確保と使い勝手の良い調理器が提供できる。
【００１４】
また、本発明の調理器においては、使用者が傍から離れたという情報を調理器の周囲の広範囲にわたって検知しているために、使用者が傍から一定時間離れる都度作動してしまうことなく、調理内容、使用者の有無等で作動しているために、小さい火力設定での長時間煮込み料理時には消火してしまう不便さ、或いは、安全状態が確保されているにもかかわらず傍から離れたら燃焼が停止してしまい再点火して再度調理を継続しなければならない等の煩わしさがなくなり、安全性が確保できる。
【００１５】
また、従来はこの不便を解消するためにタイマー等との組み合わせで、傍から離れても作動しないようにしていたが、タイマー作動時間連続して被加熱物が加熱し続けられるために油発火等の火災が防ぎきれない状態が存在したり、料理物が煮詰まりすぎたり、半煮え状態になったりしてしまい所望の料理ができないという等の不都合な使い勝手もなくなり、調理中は常に安全性状態の維持、継続がはかられるので、調理中に他の用事、来客対応等で調理器の傍を離れても料理が継続され、かつ、自由な使用状態が使用者に提供できて使用制限が付随することなく、安全な使い勝手のよい調理器が提供できる。
【発明の効果】
【００１６】
本発明のガス調理器は、調理器の前面に対して平行方向に広角放射させるように人体検知センサーを設けることで人体検知センサーの死角範囲が非常に少なくなることによって、使用者が調理器から少し離れても人体検知を継続する。従って、少し離れただけで使用者不在状態になることなく、確実に人体監視することで調理器が停止する等のトラブルがなく、料理物が適切に加熱されるから料理のでき、不出来のトラブルが解消され、使い勝手のよい調理器が提供できる。
【発明を実施するための最良の形態】
【００１７】
第１の発明は、被加熱物の加熱状態を検知するこんろ温度センサーを設けたこんろ燃焼部と、グリル庫内の加熱状態を検知するグリル温度センサーを設けたグリル燃焼部と、前記こんろ燃焼部及びグリル燃焼部への燃料の供給を制御する複数個の燃料制御部と、使用条件を入力する入力部と、調理器近傍の人の存在を検知する人体検知部と、前記こんろ温度センサー及びグリル温度センサーの温度情報と前記入力部及び人体検知部の情報で前記燃料制御部を制御する制御部を有したガス調理器であって、前記人体検知部は、電気的信号発信部である人体検知センサーからの信号を受信する電気的信号受信部を有し該電気的信号受信部の信号で人の存在有無を判断するとともに、前記人体検知部及び人体検知センサーを共にガス調理器内に配設するか、または、前記人体検知部をガス調理器内に設け前記人体検知センサーをガス調理器とは分離独立して配設する構成としたことを特徴とするもので、こんろ温度センサーで被加熱物の温度が検知できることで、被加熱物内の水分がなくなって調理物が焦げ付き始めている状態、或いは、油温度が高温になって発火する状態等の調理状態が検知可能になる。グリル温度センサーでグリル庫内の温度が調理物に火がついて異常に高温になっている等の調理状態、或いは、グリル庫内の温度が高温になってグリル皿等に掃除されないで溜まっている調理物のカス、調理物から出た油等への引火寸前である等の検知が可能になる。調理器の周囲に料理をする人が存在するか、存在しないかを検知する人体検知センサーを調理器の前面に略平行に備えたことにより、料理をしている人が調理の傍にいるかを広範囲で監視することで、調理器の作動状態を監視しながら使用されているか、使用者の存在がないので調理器は監視状態でない等の情報の死角範囲が非常に少なくなることによって、使用者が調理器から少し離れても人体検知を継続する。従って、少し離れただけで使用者不在状態になることなく、確実に人体監視することで調理器が停止する等のトラブルがなく、料理物が適切に加熱されるから料理のでき、不出来のトラブルが解消され使い勝手の良い調理器が提供できるのである。また、調理器に対して、調理台がＬ字型に配置されても、調理器の前面に対して略直角方向になるので人体検知センサーが調理器の前面に対して平行方向に広角放射されているために検知範囲内に存在することで同様な効果が得られる。
【００１８】
また、本発明の調理器においては、使用者が傍から離れたという情報で火力を制御しているために、数多くの料理の内容に関係なく使用者が傍から一定時間離れる都度作動してしまうことなく、調理内容、使用者の有無等で作動しているために、小さい火力設定での長時間煮込み料理時には消火してしまう不便さ、或いは、安全状態が確保されているにもかかわらず傍から離れたら燃焼が停止してしまい再点火して再度調理を継続しなければならない等の煩わしさがなくなり、安全性が確保できる。また、従来はこの不便を解消するためにタイマー等との組み合わせで、傍から離れても作動しないようにしていたが、タイマー作動時間連続して被加熱物が加熱し続けられるために油発火等の火災が防ぎきれない状態が存在したり、料理物が煮詰まりすぎたり、半煮え状態になったりしてしまい所望の料理ができないという等の不都合な使い勝手もなくなり、調理中は常に安全性状態の維持、継続がはかられるので、調理中に他の用事、来客対応等で調理器の傍を離れても料理が継続され、かつ、自由な使用状態が使用者に提供できて使用制限が付随することなく安全な使い勝手の良い調理器が提供できるのである。
【００１９】
第２の発明は、被加熱物の加熱状態を検知するこんろ温度センサーを設けたこんろ燃焼部と、グリル庫内の加熱状態を検知するグリル温度センサーを設けたグリル燃焼部と、前記こんろ燃焼部及びグリル燃焼部への燃料の供給を制御する複数個の燃料制御部と、使用条件を入力する入力部と、調理器近傍の人の存在を検知する人体検知部と、前記こんろ温度センサー及びグリル温度センサーの温度情報と前記入力部及び人体検知部の情報で前記燃料制御部を制御する制御部を有したガス調理器であって、前記人体検知部は、電気的信号発信部である人体検知センサーからの信号を受信する電気的信号受信部を有し該電気的信号受信部の信号で人の存在有無を判断するとともに、前記人体検知部及び人体検知センサーを共にガス調理器内に配設するか、または、前記人体検知部をガス調理器内に設け前記人体検知センサーをガス調理器とは分離独立して配設する構成とし、前記人体検知センサーの人体検知の指向性方向を前記ガス調理器の前面に対して略平行にしたことを特徴とするもので、電気的信号発信部である人体検知センサーを機器と分離独立させたことで自由に移動及び設置が可能になる。よって、台所事情等でさまざまな形態、配置の台所がある中で、人体検知センサーが移動、設置可能なために使用者の台所動作にあわせて人体検知センサーを最適な位置に設置することが可能になるとともに、人体検知センサーの指向性方向を調理器前面に対して略平行にしているため、料理をしている人が調理の傍にいるかを広範囲で監視することが可能となり、調理器の作動状態を監視しながら使用されているか、使用者の存在がないので調理器は監視状態でない等の情報の死角範囲が非常に少なくなることによって、使用者が調理器から少し離れても人体検知を継続する。
【００２０】
従って、少し離れただけで使用者不在状態になることなく、確実に人体監視することで調理器が停止する等のトラブルがなく、料理物が適切に加熱されるから料理のでき、不出来のトラブルが解消され使い勝手の良い調理器が提供できるのである。
【００２１】
また、調理器に対して、調理台がＬ字型に配置されても、配置状態に応じて最適な位置が選択されて設置されることで、同様な効果が得られる。また、台所の配置変更等がなされた場合でも、人体検知センサー部を調理器とは分離独立させた構成では、台所事情にあった位置に人体検知センサーを自由に設置できるので、使用者の実情にあった状態での使用者の存在検知ができるのでより確実な使用者不在に対する安全性の確保と使い勝手の良い調理器が提供できる。
【００２２】
以下、本発明の実施の形態について、図面を参照しながら説明する。なお、本実施の形態によって本発明が限定されるものではない。
【００２３】
（実施の形態１）
図１から図４は、本発明の第１の実施の形態における調理器の外観図、及び、調理器の各部位間の構成状態図である。
【００２４】
図において、調理器１は、最大燃焼時の火力が異なる、こんろバーナＡ２、こんろバーナＢ３、こんろバーナＣ４を調理器１の上面５に各々のバーナに対応した位置に開口を有した天板６の各々に対応する開口にのぞませ、各々のバーナが天板６より上方に突出状態に構成している。７は調理器１の点火、消火、調理モードを選択する等の入力部で、調理モードとして揚げ物モード８、湯沸しモード９、炊飯モード１０等の便利機能スイッチを有し、あわせて、点火・消火スイッチ１１も有している。１２はこんろバーナＡ２の中央に設けたこんろ温度センサーで、天板６上に設置された五徳１３上に載置された被加熱物１４の底面に接触するように設けられている。
【００２５】
尚、本実施の形態では、こんろバーナＡ２のみにこんろ温度センサー１２を設けたが、こんろバーナＢ３、こんろバーナＣ４にも設けても後述する作用、効果等は同様に得られるので、調理器１の要求仕様で設けても設けなくてもよい。１５はグリル１６のグリル庫１７内に感温部を臨ませたグリル温度センサーである。１８はグリル１６のグリル庫１７内に燃焼熱を供給するためにグリル庫１７内に向けて燃焼するグリルバーナで、グリルバーナ１８で加熱されたグリル庫１７内の温度変化をグリル温度センサー１５で検知する構成である。１９は燃料制御部で、こんろバーナＡ２、こんろバーナＢ３、こんろバーナＣ４及びグリルバーナ１８に燃料のガスを供給したり、停止したりするのと併せてガスの供給量をあらかじめ設定された範囲で最大から最小までの範囲で、入力部７の火力調節部２０を操作することで電気的信号にてステッビングモータの駆動にて火力弁を作動させることで調整される構成である。
【００２６】
２１は入力部７、こんろ温度センサー１２、グリル温度センサー１５の信号の情報を入力信号として受信し、燃料制御部１９に対してあらかじめ組み込まれた処理方法に従ってこんろバーナＡ２、こんろバーナＢ３、こんろバーナＣ４及びグリルバーナ１８へのガス供給等の信号を発信して動作させたり、こんろバーナＡ２、こんろバーナＢ３、こんろバーナＣ４及びグリルバーナ１８へ供給されたガスへの点火作用をおこなう点火器２２を動作させたりする制御部で、２３は人体検知部で、ガス調理器のフロントパネル２４に設けられた人体検知センサー２５を有した人体検知部である。人体検知センサー２５からは、ガス調理器のフロントパネル２４に対して略平行に赤外線等の放射がなされている。よって、人体検知センサー２５からの放射は、フロントパネル２４に対して平行状態の延長線状に発しられ、放射死角領域を少なくするようになっている。なお、人体検知センサー２５は、一般的に広く利用されている赤外線センサーであったり、焦電センサー等で、環境変化を温度変化でとらえるもので、使用者が存在することで使用者の温度で環境が変化したことを検知する構成である。
【００２７】
人体検知部２３は電気的に制御部２１と接続されていて、調理器１の周囲或いは傍に人の存在有無を入力部７の点火スイッチ１１がオン状態からオフ状態の間、常時又は一定時間間隔で監視し、監視結果を電気的信号の情報として発信し続け、人体検知センサー２５の信号の情報にて、あらかじめ設定された処理方法に従って制御部２１は燃料制御部１９の動作を制御することで、こんろバーナＡ２、こんろバーナＢ３、こんろバーナＣ４及びグリルバーナ１８の燃焼を継続、消火、燃焼量を最大から最小の範囲で調整する構成である。
【００２８】
制御部２１は、こんろ温度センサー１２、グリル温度センサー１５、入力部７、人体検知センサー２５の情報を受けて、あらかじめ設定された情報処理方法に従って燃料制御部１９の制御をどの情報でどのように制御するか、或いは、どの情報を優先させて燃料制御部１９をどのように制御するかの判断機能を内蔵し、併せて人体検知部２３の情報で燃料制御部１９が動作したときに、人体検知部２３の情報で動作したことを報知音、或いは、フロントパネル２４に設けた蛍光管ＬＥＤ２６の点灯、或いは、点滅等の表示のどちらか又は両方をもって報知する構成を有している。
【００２９】
このような構成において、使用者が調理器１に被加熱物１４を五徳１３上に調理物を入れられて載置して入力部７の点火スイッチ１１を押す動作をすると、点火スイッチ１１のオン状態信号が制御部２１に入って、制御部２１は燃料制御部１９及び点火器２２の作動をうながし、燃料制御部１９は使用しようとしている部位、例えばこんろバーナＡ２であればこんろバーナＡ２に対して燃料のガスを供給するように火力弁を開状態になるようにステッピンクモータを駆動させて供給が開始され、同時に点火器２２の動作で火花放電等が生じて点火されて燃焼を開始し、被加熱物１４が加熱され調理されて料理ができる。このように使用されている調理器１で、調理内容が油料理で揚げ物モード８が選択されて使用されている場合、被加熱物１４の底面にこんろ温度センサー１２は接触して被加熱物１４の温度変化を電気信号として制御部２１に発している。また、人体検知部２３も人体検知センサー２５の信号で同様に使用者が傍にいるか、いないかの電気信号として制御部２１に発している。
【００３０】
また、入力部７の揚げ物モード８が選択されて使用されている情報も制御部２１に発している。このようにして使用されている時、使用者が調理器１の傍から離れて使用者の存在がなくなると人体検知センサー２５が使用者が存在していない状態の信号を制御部２１に発する。使用者がいない信号を受けた制御部２１は、こんろ温度センサー１２の情報で被加熱物１４の温度が油の発火の危険性がある温度てあるか、安全な温度であるかの判断をして、発火の危険性がある温度であれば燃料制御部１９を作動させてこんろバーナＡ２に対して燃料のガス供給を制御して、燃焼量を最小にして被加熱物１４の加熱を継続させながらこんろ温度センサー１２の検知温度情報の変化を監視し続けて、被加熱物１４の温度がさらに高温になっていくようであれば、発火の危険度が増すのでこんろバーナＡ２に対して燃料のガス供給を制御している燃料制御部１９を作動させてガスの供給を停止して燃焼状態を消火状態にして、油の発火による火災の発生を防止する。
【００３１】
また、湯沸しモード９で使用されている場合は、人体検知センサー２５が使用者がいない情報を発したならば、こんろ温度センサー１２の情報でお湯が沸騰しているか、沸騰していないかの判断をして燃料制御部１９の動作で、こんろバーナＡ２の燃焼状態を制御する。この時、被加熱物１４の温度情報が加熱物１４内に水分がなくなった情報を発し、例えば１００℃を超えている情報ならば、調理物が焦げついたり発火の危険度が高くなったりするので消火するように制御する。
【００３２】
また、グリル１６で魚等の焼きもの調理をする場合も、こんろと同様にグリル温度センサー１５の情報と人体検知センサー２３の情報の内容で燃料制御部１９を作動させてグリル庫１７で調理物の発火が生じないようにして、火災等の危険な状態が生じないようにして安全性の高い調理器１が提供できる。
【００３３】
また、人体検知部２３の情報で燃料制御部１９を制御したときに報知音或いは蛍光管ＬＥＤ２６の点灯、或いは、点滅等の表示のどちらか又は両方をもって報知したことにより、使用者が何らかの用事等で調理器１の傍から離れた後、戻ってきた時に調理器１が人体検知部２３の情報で動作している旨の報知音を発していたり、蛍光管ＬＥＤ２６の表示を持って使用者に報知していることにより、使用者は調理器１の動作状態の燃料制御部１９の状態、即ち、燃焼火力状態が即座に分かり、料理の進捗具合、或いは料理の出来具合が即座に確認でき、調理器１を料理に必要な動作状態、燃料供給状態に復活できるので料理物が適切に加熱されるから料理のでき、不出来のトラブルが解消され使い勝手のよい調理器１が提供できるのである。
【００３４】
（実施の形態２）
図５は、本発明の第２の実施の形態におけるガス調理器を台所に設置した状態を示す図である。なお、実施の形態１と同機能、同作用を有する部分は、同一番号を付して説明は省略する。
【００３５】
実施の形態２と実施の形態１の構成上の相違点は、実施の形態２は電気的信号受信部をガス調理器内に構成し、人体検知部を有する電気的信号発信部をガス調理器と分離独立構成とし、人体検知部の人体検知の指向性方向をガス調理器の前面に対して略平行にした点が異なる構成である。
【００３６】
このような構成において、人体検知部２３は、台所の任意な最適位置または、調理器１のフロントパネル２４に略平行放射されるように調理器１に取り付けられている。人体検知センサー２５からは、ガス調理器のフロントパネル２４に対して略平行に赤外線等の放射がなされている。よって、人体検知センサー２５からの放射は、フロントパネル２４に対して平行状態の延長線状に発しられ、放射死角領域を少なくするようになっている。従って、人体検知センサ２５から広角的に赤外線等が放射されても、使用者がガス調理器１の近傍或いは、調理台の近傍、或いは、流し台の近傍等に存在しても放射範囲内に入ることで、確実な人体検知ができるのである。仮に、この設置場所で人体検知センサ２５の死角範囲が存在するようであれば、死角範囲をなくすような位置に設置変更すれば良く、より台所環境にあった人体検知ができるのである。このことで、例えば、てんぷら料理中に使用者が調理器１の傍から離れた時に、こんろ温度センサー１２の情報で１８０℃の情報が発しられるまではこんろバーナＡ２最大燃焼量を維持し、１８０℃の情報が発しられたら最小燃焼量に燃料制御部１９で制御される状態が得られ、油温度はてんぷら料理に適した温度が維持された状態であるために、再度調理器１でてんぷら料理が直ぐでき、使い勝手の良い安全が確保された調理器１が提供できるのである。
【産業上の利用可能性】
【００３７】
以上のように、本発明にかかる調理器は、料理をしている人が調理器の傍にいるかを監視することで、調理器の作動状態を監視しながら使用されているか、使用者の存在がないので調理器は監視状態でない等の情報が検知可能になるので、調理中は常に安全性状態の維持、継続がはかられるので、調理中に他の用事、来客対応等で調理器の傍を離れても料理が継続され、かつ、自由な使用状態が使用者に提供できて使用制限が付随することなく、安全な使い勝手の良い調理器が可能となるので、ガスを燃料とする調理器だけに限定されることなく、電気を使用した調理器等の用途にも応用展開ができ展開できる。
【図面の簡単な説明】
【００３８】
【図１】本発明の実施の形態１における調理器の外観上面図
【図２】同調理器の外観正面図
【図３】同調理器の外観側面図
【図４】同調理器の各部位の関係を示すブロック図
【図５】本発明の実施の形態２における調理器の動作フローチャート
【符号の説明】
【００３９】
１  調理器
２  こんろバーナＡ
３  こんろバーナＢ
４  こんろバーナＣ
６  天板
７  入力部
１２  こんろ温度センサー
１５  グリル温度センサー
１６  グリル
１８  グリルバーナ
１９  燃料制御部
２１  制御部
２３  人体検知部
２５  人体検知センサー
【図１】
2006057857.tif 000003
【図２】
2006057857.tif 000004
【図３】
2006057857.tif 000005
【図４】
2006057857.tif 000006
【図５】
2006057857.tif 000007